(57)【特許請求の範囲】
【請求項１】
単体又は複数を連結して使用するローラーコンベアーにあって、搬送する物品を希望する任意の位置で留め置くストッパー、同ストッパーは一対の主フレーム上面で任意の隣接するローラー間に置いて固定せずに使用する構造で、主水平部材と垂直上方部材に構成要素を分けたアングルバーをフレーム間に渡した状態の物を母体とし、主水平部材は荷物が進んでくる方向に伸びており、同主水平部材は荷物の底面に入り込み、荷物が当たる垂直上方部材は荷物の進行を受け止める役目を担い、同垂直上方部材に左右のフレーム間の下方に延長した垂直下方部材を設け、同垂直下方部材は荷物が進んでくる反対側のローラーの側面と当る様に設け、進んできた荷物が垂直上方部材と接触し、次いで垂直下方部材はローラー側面と接触し、垂直部材が少し倒れた状態で主水平部材の先端が荷物の底面に接触した状態でバランスして荷物を停止させる、前述の如く四点支持で荷物を留め置く事を特徴とするローラーコンベアーストッパー。
【請求項２】
請求項１に記載のローラーコンベアーストッパーにおいて、同ストッパーの構成部材である主水平部材を垂直部材の反対側に延長して水平に設けて補助水平部材とし、同補助水平部材はローラーコンベアーの一対のフレーム上に位置する部分のみを残した部材で、前述の補助水平部材を付加したローラーコンベアーストッパー。
【発明の詳細な説明】
【背景技術】
【０００１】
本発明は、主として仮設、増減設、移動、移設及び撤去を繰りお返し、単体叉は複数を連結して利用するローラーコンベアーにおいて、ローラーコンベアー上の箱状の荷物を任意の位置に留め置くストッパーに関する。
従来のローラーコンベアーは搬送方向になだらかな下り勾配が望ましい一つの使用形態だが、特に農業の圃場での利用では、傾斜畑が多く、一見平坦な圃場でもゆるい勾配、局部的な高い低い及び隣接する地面の凸凹等があり、連結した個々のローラーコンベアーに搬送方向の上り下りの勾配が顕著に現われ、勾配の強制修正は困難を伴い、個々のコンベアーに上り下りの勾配が混在して残るケースも多々有る。
前記条件の下でのローラーコンベアーの本来の利用目的は、プラスチック箱や段ボール箱を運ぶ事とローラーコンベアーの任意の上面を作業台として利用する事であり、ストッパーの利用目的は、荷物を搬送方向の最終端で留め置く場合、積み込む側のコンベアー始端部からの落下防止、コンベアーの任意の位置で箱を留め置いてローラーコンベアー上を作業台として箱詰め作業等をする場合、叉搬送方向の最終端でローラーコンベアーからの降ろし作業が遅れてコンベアーに積んだ箱を積み込む作業者が自ら待機して留め置きする場合が考えられ、簡便に荷物を留め置く複数のストッパーの需要が有るが、従来のストッパーは固定式のもが大半で、置くだけのものもあるが、荷物の搬送方向の反対側のローラーを３本占有して設置するので容積も大きく重量も重く、叉ローラーコンベアー上の面積を多く使い、端部に設置する場合は、両最終端部よりローラー３本分離れた位置に荷物が止まる欠点がある。
【先行技術文献】
【特許文献】
【０００２】
【特許文献１】特開２００８−１７４２７１号公報
【特許文献２】特開平９−１０７７１１号公報
【特許文献３】特開２００４−２６７０６９号公報
【特許文献４】特開２００１−２６９０１６号公報
【非特許文献】
【０００３】
【非特許文献１】三鈴工機(株)価格表の頁４２（ストッパ)平成２０年改訂版
【発明の概要】
【発明が解決しようとする課題】
【０００４】
第一の課題は、任意の狭いスペースに置くだけで、固定手段を使わずに、ストッパー機能を発揮する構造としたい。
第２の課題は、ストッパー設置面積を少なくしてローラーコンベアー上面の面積を大きく保ちたい。
【課題を解決するための手段】
【０００５】
第一及び第二の課題解決手段は、ストッパーの設置場所を任意の隣接するローラー間にコンベアーフレームに橋渡しの状態で置くだけとし、荷物がストッパーに作用する力を四点で受け、特にストッパー構成部材の主水平部材が荷物の底面を持ち上げる力の反力を利用する構造として解決した。
【発明の効果】
【０００６】
軽量で設置面積も少なく有効にストッパー効果を発揮し、ストッパーの構成部材でローラー頂面より上方に出ているのは垂直上方部材のみで、この部材のローラー頂面の面積を減じる量は極めて少ない。
ローラーコンベアー最終端の一つ及び二つ手前のローラー間に設置できるのでローラーコンベアー両端部での設置によるコンベアー上面の有効面積の減少は少なく、その面積はローラーコンベアーの横幅が一定なので、搬送方向の長さで表現するとローラー配設ピッチの１ピッチ弱のみの減少となり、ローラーコンベアーの中間にも複数の設置が容易で、その場合のストッパー１本当たりの設置面積の減少は垂直部材の厚みのみの減少である。
【図面の簡単な説明】
【０００７】
【図１】本発明のストッパーと、ローラーコンベアー及び荷物の位置関係を示す部分断面の側面図
【図２】図１における矢視Ａ−Ａ図で、箱を省略した断面図
【図３】図１における点線の丸Ｂで囲まれた部分の拡大図で、ストッパーに箱が当たる直前の状態を示す側面図
【図４】図１の点線の丸Ｂで囲まれた部分の拡大図で、ストッパーに箱が当たりストッパーが有効に機能している状態を表わす側面図
【図５】本発明のストッパーに補助水平部材を付加したストッパーの側面図
【図６】本発明のストッパーに補助水平部材を付加したストッパーの平面図
【発明を実施するための形態】
【０００８】
以下、本発明の実施の形態を図１〜図６に従い説明する。
Ｓはストッパーで一対のローラーコンベアーＲのフレームＲＦの上面ＲＦＵで、隣接する任意のローラーＲＲ間に置くだけで設置しており、山形鋼と類型の断面形状を有するアングルバーが母体となり、同母体を、荷物ＢＯＸの進んでくる前面と接触する垂直上方部材ＳＶＵ、荷物の底面に入り込む主水平部材ＳＨ１とに区分して表記している。
垂直下方部材ＳＶＤは垂直上方部材ＳＶＵに左右のフレームＲＦ間の下方に延長して配する部材でローラーＲＲの側面のＺで線当たりをし、ストッパーが作動時は母材と成るアングルバーの角はローラーコンベアーＲのフレーム上面ＲＦＵと線状接触し、同接触点をＹ１と表記する。
荷物ＢＯＸがストッパーＳ、即ち垂直上方部材ＳＶＵに当たると、垂直部材ＳＶはＹ１点を中心にして若干傾斜をし、荷物ＢＯＸは同荷物の前面下端角のＸ点で垂直上方部材ＳＶＵと接触する状態に移行し、同時に垂直下方部材ＳＶＤはローラーＲＲの側面のＺ点に接触し、叉主水平部材ＳＨ１の先端Ｗは荷物の底面と接触し、４点に加わる作用反作用の力がバランスしてストッパーの効果を発揮する。
前述のストッパーの形状では効果が不十分で、特に主水平部材ＳＨ１の荷物底面への入り込みが十分に取れない場合や荷物が非常に強く当たる場合等、垂直部材ＳＶの傾きが大きくなる場合はＷ点を押さえる力も小さく、ストッパーＳはローラーを乗り越えていくの、
主水平部材ＳＨ１の反対側に補助水平部材ＳＨ２を一対のフレーム上面ＲＦＵに延長して配し、同補助水平部材ＳＨ２とフレームＲＦの上面ＲＦＵと接触する点をＹ２で表記し、Ｗ点とＹ２点の距離が長くなり、垂直部材ＳＶの傾きが大きくなる事を抑制し、ストッパーＳがローラーを乗り越えていく事を防止し、ストッパー効果を発揮する。
【符号の説明】
【０００９】
ＢＯＸ  箱状の搬送荷物
Ｓ      ストッパー
ＳＶ    ストッパーを構成する垂直部材
ＳＶＵ  ストッパーを構成する垂直上方部材
ＳＶＤ  ストッパーを構成する垂直下方部材
ＳＨ    ストッパーを構成する水平部材
ＳＨ１  ストッパーを構成する主水平部材
ＳＨ２  ストッパーを構成する補助水平部材
Ｗ      荷物の底面、ストッパーの水平部材の先端とが線状当たりする接点
Ｘ      荷物の前面の下の角とストッパーの垂直上方部材とが線状当たりする接点
Ｙ１    ストッパーの母体となる山形鋼の角とフレーム上面とが線状当たりする接点
Ｙ２    補助水平部材とフレーム上面とが線状当たりする接点
Ｚ      ストッパーを構成する垂直下方部材がローラーの側面と線状当たりする接点
Ｒ      ローラーコンベアー
ＲＦ    ローラーコンベアーのフレーム
ＲＦＵ  ローラーコンベアーのフレーム上面
ＲＲ    ローラーコンベアーのローラー
ＲＳ    ローラーの中心軸
【要約】
【課題】  従来のローラーコンベアーのストッパーは固定式のものが多く、置くだけの物もあるが、それはローラーコンベアー２〜３本の上に水平部材を配し、同水平部材の先端に直交する垂直部材を設け、同部材の上部は荷物を受け止め、下部はローラーの側面に当たることでストッパー効果を発揮するものがあるが、設置スペースがローラー２〜３本分必要で、材料の量も重量も多くなり、コストも上る。
【解決手段】  隣接するローラー間の、一対のローラーコンベアーのフレーム間に渡しただけで設置できる構造なので、設置面積は少なく、材料も少なく製作できる。
【選択図】図１【図１】
0005517138.tif 000002
【図２】
0005517138.tif 000003
【図３】
0005517138.tif 000004
【図４】
0005517138.tif 000005
【図５】
0005517138.tif 000006
【図６】
0005517138.tif 000007